(57)【要約】【課題】使い勝手が良く、かつ、確実に薬やサプリメントの服用を管理できる飲み忘れ防止ボードを提供する。【解決手段】１から３１まで数字が１つずつ付された日付表示部６を表て面３Ａに有し、裏面にマグネットを有する服用剤Ｓ収納用の複数の密閉容器３を備え、鋼板を有するベース板１に形成したカレンダー欄部２に、日付表示部６の数字が暦に対応するように密閉容器３を割り当てて取付けている。【選択図】図１
2013179968.tif 000002
【特許請求の範囲】
【請求項１】
１から３１まで数字が１つずつ付された日付表示部（６）を表て面（３Ａ）に有し、裏面（３Ｂ）にマグネット（８）を有する服用剤（Ｓ）収納用の複数の密閉容器（３）を備え、
鋼板を有するベース板（１）に形成したカレンダー欄部（２）に、上記日付表示部（６）の数字が暦に対応するように上記密閉容器（３）を割り当てて取付けたことを特徴とする飲み忘れ防止ボード。
【請求項２】
上記密閉容器（３）は、透明な合成樹脂から成り、服用剤（Ｓ）が外部から確認できるように構成されている請求項１記載の飲み忘れ防止ボード。
【請求項３】
上記複数の密閉容器（３）の内、上記カレンダー欄部（２）の土曜日と日曜日と祝祭日に割り当てた密閉容器（３Ｈ）には、交換自在の色付きプレート（７）が収納されている請求項１又は２記載の飲み忘れ防止ボード。
【請求項４】
上記ベース板（１）は、上記鋼板を包含する支持板（１０）に、上記カレンダー欄部（２）が印刷された月捲りシート体（１１）を交換自在に張設して構成されている請求項１，２又は３記載の飲み忘れ防止ボード。
【請求項５】
上記ベース板（１）は、万年カレンダーとして構成されている請求項１，２又は３記載の飲み忘れ防止ボード。
【請求項６】
万年カレンダーとしての上記ベース板（１）に於て、複数の窓部（２２）が凹設された仕切り板（２１）を備え、上記カレンダー欄部（２）の日付欄が複数の該窓部（２２）をもって形成され、該複数の窓部（２２）の内、上記密閉容器（３）が割り当てられなかった空き窓部（２２Ａ）には、隠しブロック片（４）が嵌め込まれている請求項５記載の飲み忘れ防止ボード。
【請求項７】
上記密閉容器（３）は、上記裏面（３Ｂ）の中央部を凸状に隆起して突隆部（５）が形成され、該突隆部（５）が上記窓部（２２）に挿入可能として上記密閉容器（３）の位置決めと滑り止めを成すように構成されている請求項５又は６記載の飲み忘れ防止ボード。
【発明の詳細な説明】
【技術分野】
【０００１】
本発明は、飲み忘れ防止ボードに関する。
【背景技術】
【０００２】
従来、薬やサプリメントを毎日服用する必要がある人や、定期的に服用する人のために、飲み忘れを防止するための飲み忘れ防止ボードが提案されている（特許文献１参照）。
【先行技術文献】
【特許文献】
【０００３】
【特許文献１】特開２０１１−２４５２５４号公報
【発明の概要】
【発明が解決しようとする課題】
【０００４】
しかし、従来の飲み忘れ防止ボードは、１週間毎に薬やサプリメントの定量を容器に分配して入れる必要があった。病気を患った人や老人にとって、１カ月の間に４回〜５回、この作業を行うのは手間がかかり、面倒くさいことであった。また、１週間単位の服用管理では、うっかり曜日を間違えて飲み忘れる虞れがあり、服用が１週間に２回〜３回で済む場合には、無駄が多いという欠点があった。
【０００５】
そこで、本発明は、使い勝手が良く、かつ、確実に薬やサプリメントの服用を管理できる飲み忘れ防止ボードを提供することを目的とする。
【課題を解決するための手段】
【０００６】
本発明に係る飲み忘れ防止ボードは、１から３１まで数字が１つずつ付された日付表示部を表て面に有し、裏面にマグネットを有する服用剤収納用の複数の密閉容器を備え、鋼板を有するベース板に形成したカレンダー欄部に、上記日付表示部の数字が暦に対応するように上記密閉容器を割り当てて取付けたものである。
【０００７】
また、上記密閉容器は、透明な合成樹脂から成り、服用剤が外部から確認できるように構成されているものである。
また、上記複数の密閉容器の内、上記カレンダー欄部の土曜日と日曜日と祝祭日に割り当てた密閉容器には、交換自在の色付きプレートが収納されているものである。
また、上記ベース板は、上記鋼板を包含する支持板に、上記カレンダー欄部が印刷された月捲りシート体を交換自在に張設して構成されているものである。
【０００８】
また、上記ベース板は、万年カレンダーとして構成されているものである。
また、万年カレンダーとしての上記ベース板に於て、複数の窓部が凹設された仕切り板を備え、上記カレンダー欄部の日付欄が複数の該窓部をもって形成され、該複数の窓部の内、上記密閉容器が割り当てられなかった空き窓部には、隠しブロック片が嵌め込まれているものである。
また、上記密閉容器は、上記裏面の中央部を凸状に隆起して突隆部が形成され、該突隆部が上記窓部に挿入可能として上記密閉容器の位置決めと滑り止めを成すように構成されている
【発明の効果】
【０００９】
本発明の飲み忘れ防止ボードによれば、月次の日付と曜日の両方で薬やサプリメントの服用の確認ができ、１カ月間にわたって確実に飲み忘れ・飲み過ぎを防止できる。密閉容器内に薬やサプリメント等の服用剤を衛生的に収納でき、かつ、日毎の定量管理がし易い。月間カレンダーとして兼用でき、無駄が無く、エコで、余計なコストを削減できる。
【図面の簡単な説明】
【００１０】
【図１】本発明の実施の一形態を示した正面図である。
【図２】本発明の他の実施形態を示した正面図である。
【図３】密閉容器の一例を示した斜視図である。
【図４】密閉容器の他の例を示した斜視図である。
【図５】密閉容器の別の例を示した斜視図である。
【図６】密閉容器のさらに別の例を示した斜視図である。
【図７】万年カレンダー用の密閉容器の第１例を示した斜視図である。
【図８】万年カレンダー用の密閉容器の第２例を示した斜視図である。
【図９】万年カレンダー用の密閉容器の第３例を示した斜視図である。
【図１０】万年カレンダー用の密閉容器の第４例を示した斜視図である。
【図１１】万年カレンダー用の密閉容器の第５例を示した斜視図である。
【図１２】万年カレンダー用の密閉容器の第６例を示した斜視図である。
【図１３】万年カレンダー用の密閉容器の第７例を示した斜視図である。
【図１４】万年カレンダー用の密閉容器の第８例を示した斜視図である。
【図１５】万年カレンダー用の密閉容器の第９例を示した斜視図である。
【図１６】万年カレンダー用の密閉容器の第１０例を示した背面図である。
【図１７】万年カレンダー用の隠しブロック片を示した背面図である。
【図１８】万年カレンダー用の隠しブロック片を示した断面平面図である。
【発明を実施するための形態】
【００１１】
以下、実施の形態を示す図面に基づき本発明を詳説する。
図１と図３に示すように、本発明の飲み忘れ防止ボードは、１から３１まで数字が１つずつ付された日付表示部６を表て面３Ａに有し、裏面３Ｂにマグネット８を有する服用剤Ｓ収納用の複数の密閉容器３を備えている。
本発明の飲み忘れ防止ボードは、鋼板を有するベース板１に形成したカレンダー欄部２に、日付表示部６の数字が暦に対応するように密閉容器３を割り当てて取付けている。
つまり、密閉容器３は、３１個以上が１セットとして構成された容器セットである。
【００１２】
図１と図３では、密閉容器３は、長方形状の角箱型に形成され、側面にヒンジ部（図示省略）を設け、蓋部３１が開閉自在に一体成形されている。蓋部３１は、開け易いように小突片３１ａが形成されている。密閉容器３の裏面３Ｂのマグネット８は、薄いシート状であって、長方形状に形成されている。
なお、図４〜図６に示すように、密閉容器３は、設計変更が可能であって、図４では、密閉容器３は、円形状の丸型に形成され、蓋部３１がネジ式であって、回転させて取外しできるように構成されている。裏面３Ｂのマグネット８は、小径薄型の円盤形であり強力な磁力を有するネオジム磁石を用いても良い。また、図５に示すように、角箱型の密閉容器３に、小径な円形のネオジム磁石から成るマグネット８を取り付けても良く、図６に示すように、丸型の密閉容器３に、薄いシート状のマグネット８を取り付けても良いものとする。
【００１３】
密閉容器３は、透明な合成樹脂から成り、服用剤Ｓが外部から確認できるように構成されている。
密閉容器３に収納する服用剤Ｓとしては、例えば、毎日乃至１週間に数回にわたって定期的に服用する薬やサプリメントが挙げられる。ここで、薬とは、錠剤やカプセル、袋に入れられた粉薬等の散剤、小型容器に入れられた液剤等を含み、サプリメントとは、錠剤やカプセル、粉状、液状のものが含まれる。なお、密閉容器３は、半透明であって良い。
【００１４】
複数の密閉容器３の内、カレンダー欄部２の土曜日と日曜日と祝祭日に割り当てた密閉容器３Ｈには、交換自在の色付きプレート７が収納されている。
色付きプレート７は、プラスチック、又は、紙、セロファン紙、ガラスプレート等から成り、土曜日用を青色とし、日曜日・祝祭日用を赤色として色の異なる２種類を備えているのが望ましい。色付きプレート７は、密閉容器３の内部底面の最奥部に収納され、服用剤Ｓが外部から見えるように考慮されている。なお、色付きプレート７は、透明乃至半透明であっても良い。
【００１５】
図１に示すベース板１は、鋼板を包含する支持板１０に、カレンダー欄部２が印刷された月捲りシート体１１を交換自在に張設して構成されている。
支持盤１０としては、例えば、磁石を吸い付けて取着できるように構成されたホワイトボードや黒板等を用いるのが好ましい。
月捲りシート体１１とは、具体的には、月次の日付と曜日が記載された１２枚綴りのカレンダーの内の１枚を示す。なお、月捲りシート体１１は、支持板１０に粘着テープやシール紙で貼り、又は、マグネットにて固定しても良い。
【００１６】
図２は、本発明の飲み忘れ防止ボードの他の実施形態を示している。
図２に示すベース板１は、万年カレンダーとして構成されている。
万年カレンダーとしてのベース板１に於て、複数の窓部２２が凹設された仕切り板２１を備え、カレンダー欄部２の日付欄が複数の窓部２２をもって形成されている。
カレンダー欄部２の日付欄としての窓部２２には、日付表示部６の数字が暦に対応するように密閉容器３を割り当てて取付けている。密閉容器３は、透明な合成樹脂から成り、服用剤Ｓが外部から確認できるように構成されている。また、複数の密閉容器３の内、カレンダー欄部２の土曜日と日曜日と祝祭日に割り当てた密閉容器３Ｈには、交換自在の色付きプレート７が収納されている。
【００１７】
図２では、複数の窓部２２は、全て正面視正方形状として同一形状に形成されている。窓部２２は、横方向の７つと縦方向の５つ乃至６つが格子状に並べて配置されている。仕切り板２１の裏面側には、鋼板が接着されており、窓部２２の最奥部は鋼板により閉塞されている。
【００１８】
複数の窓部２２の内、密閉容器３が割り当てられなかった空き窓部２２Ａには、隠しブロック片４が嵌め込まれている。
万年カレンダーは、暦に対応して密閉容器３をカレンダー欄部２（窓部２２）に配設した場合に、密閉容器３が無い窓部２２、いわゆる空き窓部２２Ａが生じる。隠しブロック片４は、空き窓部２２Ａから鋼板が露出するのを防止している。隠しブロック片４は、窓部２２に僅かな隙間をもって嵌入できるように構成されている。隠しブロック片４の色は、仕切り板２１と同色に設定され、隠しブロック片４の厚さ寸法は、仕切り板２１の厚さ寸法とほぼ同一に設定されている。
図１７と図１８に示すように、隠しブロック片４は、裏面４Ｂにマグネット８を有している。隠しブロック片４の裏面４Ｂには、一端部２４の裏側の一辺の角を落として傾斜面部１４が形成されている。
【００１９】
図７〜図１６に示すように、密閉容器３は、裏面３Ｂの中央部を凸状に隆起して突隆部５が形成されている。
図７〜図１２の例では、密閉容器３が丸型であって、ネジ式の蓋部３１が回転操作により取外しできるように構成されている。図７では、密閉容器３の裏面３Ｂの突隆部５が短寸の円柱形状であって、小径薄型の円盤形ネオジム磁石から成るマグネット８を有している。図８では、突隆部５が短寸の角柱形状であって、薄いシート状のマグネット８を有している。図９では、突隆部５が短寸の円錐台形状であって、小径薄型の円盤形ネオジム磁石から成るマグネット８を有している。図１０では、突隆部５が短寸の角錐台形状であって、小径薄型の円盤形ネオジム磁石から成るマグネット８を有している。図１１では、突隆部５が背の高い円柱形状である。図１２の密閉容器３は、３段重ねであって、服用剤Ｓの収納室が３つ有る構造となっている。この構成により、１日に３回、朝昼夜に薬やサプリメントを服用する場合にも対応できる。
【００２０】
図１３〜図１５の例では、密閉容器３が略正方形状の角箱型であって、ヒンジにより蓋部３１を開閉自在とし、蓋部３１には開操作用の小突片３１ａが形成されている。図１３では、密閉容器３の裏面３Ｂの突隆部５が短寸の円柱形状であって、小径薄型の円盤形ネオジム磁石から成るマグネット８を有している。図１４では、突隆部５が短寸の角柱形状であって、薄いシート状のマグネット８を有している。図１５では、突隆部５が短寸の角錐台形状であって、小径薄型の円盤形ネオジム磁石から成るマグネット８を有している。
一方、図１６に示すように、密閉容器３は、その輪郭がハート型になるように形成しても良い。このハート型の密閉容器３は、結婚記念日やバレンタインデー等、その他の特別な記念日が認識し易くなるように使用される。
【００２１】
図７〜図１６の全ての密閉容器３は、突隆部５が窓部２２に挿入可能として密閉容器３の位置決めと滑り止めを成すように構成されている。
【００２２】
上述した本発明の飲み忘れ防止ボードの使用方法（作用）について説明する。
図１と図２に示すように、薬やサプリメント等の服用剤Ｓの（１日分の）定量を、密閉容器３に分配して入れて密閉し、ベース板１のカレンダー欄部２に、日付表示部６の数字が暦に対応するように密閉容器３を割り当て、マグネット８によって鋼板に取付ける。使用者は、当日分の服用剤Ｓを飲んだかどうかを密閉容器３の外部から見て確認し、飲み忘れ・飲み過ぎをしないように管理する。
【００２３】
図２の万年カレンダーを利用した本発明の飲み忘れ防止ボードに於て、密閉容器３は、裏面３Ｂの突隆部５を窓部２２に挿入して取付けられる。突隆部５が窓部２２に係止することで、密閉容器３の位置決めと滑り止めの役割を果たし、密閉容器３をカレンダー欄部２の適正な配置箇所に保持する。
隠しブロック片４は、窓部２２に嵌込まれた状態下で、一端部２４を表て面側から押圧して、裏面４Ｂの傾斜面部１４をベース板１の鋼板に当接させると、マグネット８が鋼板から引き離される。つまり、隠しブロック片４は、表て面から一端部２４を指１本で押せば、容易に窓部２２から取り外すことが可能である。
【００２４】
なお、本発明の実施形態として示した万年カレンダーは、設計変更可能であって、例えば、日付欄を固定して曜日の表示を入れ替える構造であっても良く、又は、窓部を有さずとも鋼板を小型プレート状に形成して嵌め落し式に取り付ける構造であっても良い。
【００２５】
以上のように、本発明に係る飲み忘れ防止ボードは、１から３１まで数字が１つずつ付された日付表示部６を表て面３Ａに有し、裏面３Ｂにマグネット８を有する服用剤Ｓ収納用の複数の密閉容器３を備え、鋼板を有するベース板１に形成したカレンダー欄部２に、日付表示部６の数字が暦に対応するように密閉容器３を割り当てて取付けたので、密閉容器３の表て面３Ａに表示された日付表示部６の日付とカレンダー欄部２の曜日の両方で服用の確認ができ、服用剤Ｓを複数の密閉容器３に分配して入れる作業を１回行えば１カ月間にわたって確実に服用剤Ｓの飲み忘れ・飲み過ぎを防止できる。密閉容器３内に服用剤Ｓを衛生的に収納でき、かつ、日毎の定量管理がし易い。月間カレンダーとして兼用でき、無駄が無く、エコで、余計なコストを削減できる。
【００２６】
また、密閉容器３は、透明な合成樹脂から成り、服用剤Ｓが外部から確認できるように構成されているので、使用者が当日分の服用剤Ｓを飲んだかどうかを密閉容器３の外部から見て容易に確認でき、飲み忘れ・飲み過ぎをしないように確実に管理することができる。
【００２７】
また、複数の密閉容器３の内、カレンダー欄部２の土曜日と日曜日と祝祭日に割り当てた密閉容器３Ｈには、交換自在の色付きプレート７が収納されているので、カレンダーとして見易く、月が変わったら色付きプレート７を入れ替えて使用でき、コストを節約できる。
【００２８】
また、ベース板１は、鋼板を包含する支持板１０に、カレンダー欄部２が印刷された月捲りシート体１１を交換自在に張設して構成されているので、構造が非常に簡単で、安価に製造できる。
【００２９】
また、ベース板１は、万年カレンダーとして構成されているので、全ての構成部品を繰り返し使用することができ、コストを節約できる。
【００３０】
また、万年カレンダーとしてのベース板１に於て、複数の窓部２２が凹設された仕切り板２１を備え、カレンダー欄部２の日付欄が複数の該窓部２２をもって形成され、複数の窓部２２の内、密閉容器３が割り当てられなかった空き窓部２２Ａには、隠しブロック片４が嵌め込まれているので、密閉容器３を適度な間隔をもって整然と配列することができ、しかも、空き窓部２２Ａから鋼板が露出するのを防止でき、美観に優れる。
【００３１】
また、密閉容器３は、裏面３Ｂの中央部を凸状に隆起して突隆部５が形成され、突隆部５が窓部２２に挿入可能として密閉容器３の位置決めと滑り止めを成すように構成されているので、密閉容器３を所定位置に確実に保持できて、密閉容器３の日付表示部６の数字が暦に正しく対応した状態を保てる。
【符号の説明】
【００３２】
１  ベース板
２  カレンダー欄部
３  密閉容器
３Ａ  表て面
３Ｂ  裏面
４  隠しブロック片
５  突隆部
６  日付表示部
７  色付きプレート
８  マグネット
１０  支持板
１１  月捲りシート体
２１  仕切り板
２２  窓部
２２Ａ  空き窓部
Ｓ  服用剤
【図１】
2013179968.tif 000003
【図２】
2013179968.tif 000004
【図３】
2013179968.tif 000005
【図４】
2013179968.tif 000006
【図５】
2013179968.tif 000007
【図６】
2013179968.tif 000008
【図７】
2013179968.tif 000009
【図８】
2013179968.tif 000010
【図９】
2013179968.tif 000011
【図１０】
2013179968.tif 000012
【図１１】
2013179968.tif 000013
【図１２】
2013179968.tif 000014
【図１３】
2013179968.tif 000015
【図１４】
2013179968.tif 000016
【図１５】
2013179968.tif 000017
【図１６】
2013179968.tif 000018
【図１７】
2013179968.tif 000019
【図１８】
2013179968.tif 000020